(57)【要約】【課題】安定性を高めて転倒を防止するとともに、外観を向上させることのできるキャビネット収納椅子を提供すること。【解決手段】上部に座部４を、基部１の下端にキャスター１４ａ、１４ｂを備えるとともに、背板１１ａ、１１ｂおよび蹴込み板１５を有し、後側のキャスター１４ｂを備えた基部後端部１ａが基部本体１ｂに対して前後にスライド自在に配設され、この基部後端部の後端に蹴込み板が取り付けられ、使用時に蹴込み板を前方に押すと、基部後端部が後方にスライドし、後側のキャスターが後方に突出して配置され、キャビネット収納椅子の引き出しが可能となり、収納時に蹴込み板を前方に押すと、基部後端部が前方にスライドし、蹴込み板がキャビネットの蹴込み部と面一に、背板がキャビネットの前板と面一に配置される。【選択図】図１
2007190297.tif 000002
【特許請求の範囲】
【請求項１】
上部に座部を、基部の下端にキャスターを備えるとともに、収納時に、キャビネットの前板と面一に配置される背板とキャビネットの蹴込み部に面一に配置される蹴込み板を有するキャビネット収納椅子であって、後側のキャスターを備えた基部後端部が基部本体に対して前後にスライド自在に配設され、この基部後端部の後端に前記蹴込み板が取り付けられ、使用時に蹴込み板を前方に押すと、基部後端部が後方にスライドし、後側のキャスターが後方に突出して配置され、キャビネット収納椅子の引き出しが可能となり、収納時に蹴込み板を前方に押すと、基部後端部が前方にスライドし、蹴込み板がキャビネットの蹴込み部と面一に、背板がキャビネットの前板と面一に配置されることを特徴とするキャビネット収納椅子。
【請求項２】
収納時に基部後端部を前方位置に保持し、蹴込み板が押されることにより保持を解除して基部後端部を後方へ押し出す、弾性体を備えた駆動機構がキャビネットに設けられている請求項１記載のキャビネット収納椅子。
【発明の詳細な説明】
【技術分野】
【０００１】
本願発明は、座位で諸作業を行うことができ、使用後にキャビネット内部に収納した時、キャビネットと統一感のある外観を呈するキャビネット収納椅子に関する。
【背景技術】
【０００２】
厨房装置での洗浄、すすぎ作業や洗面化粧台での洗面作業などの諸作業を座位で行えるようにし、使用後には、厨房装置や洗面化粧台などのキャビネットの内部に収納できるようにしたキャビネット収納椅子が提案されている。
【０００３】
キャビネット収納椅子は、上部に座部を、下端部にキャスターを備え、また、収納時にキャビネットの前板と面一に配置される背板を有している。キャスターによってキャビネットからの出し入れが自在とされ、引き出して座部に座って諸作業を行うことができ、使用後、収納すると、背板がキャビネットの前板と面一に配置され、キャビネットの一部を形成しているような外観となる。
【０００４】
このようなキャビネット収納椅子には、蹴込み部に出し入れ自在に配設されるワゴン（特許文献１）とは異なった課題がある。
【特許文献１】特開２００１−６１５７３号公報
【発明の開示】
【発明が解決しようとする課題】
【０００５】
すなわち、キャビネット収納椅子は、一般に、作業を行うシンクやボウルなどの下方に収納されるが、キャビネットにおいてシンクやボウルなどの下方には配管などが配設されているため、キャビネット収納椅子の収納スペースは奥行きの浅いものとなっており、前後のキャスター間の間隔を十分にとることができない。したがって、背板の下方の内側に配設される蹴込み板の内側にキャスターを配置すると、引き出す際に背板の上方から力を加えた場合、キャビネット収納椅子が後方に転倒するという危険性がある。この転倒の問題を解消するためには、キャスターの前後間隔を大きくとればよいが、この場合、後側のキャスターが蹴込み部に出っ張ることになり、外観が見苦しいものとなってしまう。
【０００６】
本願発明は、このような事情に鑑みてなされたものであり、安定性を高めて転倒を防止するとともに、外観を向上させることのできるキャビネット収納椅子を提供することを課題としている。
【課題を解決するための手段】
【０００７】
本願発明は、上記の課題を解決するために、第１に、上部に座部を、基部の下端にキャスターを備えるとともに、収納時に、キャビネットの前板と面一に配置される背板とキャビネットの蹴込み部に面一に配置される蹴込み板を有するキャビネット収納椅子であって、後側のキャスターを備えた基部後端部が基部本体に対して前後にスライド自在に配設され、この基部後端部の後端に前記蹴込み板が取り付けられ、使用時に蹴込み板を前方に押すと、基部後端部が後方にスライドし、後側のキャスターが後方に突出して配置され、キャビネット収納椅子の引き出しが可能となり、収納時に蹴込み板を前方に押すと、基部後端部が前方にスライドし、蹴込み板がキャビネットの蹴込み部と面一に、背板がキャビネットの前板と面一に配置されることを特徴としている。
【０００８】
本願発明は、第２に、収納時に基部後端部を前方位置に保持し、蹴込み板が押されることにより保持を解除して基部後端部を後方へ押し出す、弾性体を備えた駆動機構がキャビネットに設けられていることを特徴としている。
【発明の効果】
【０００９】
本願の第１の発明によれば、使用時に蹴込み板を押す操作を行うことにより、後側のキャスターを備えた基部後端部が後方にスライドし、後側のキャスターが後方に突出して配置される。この状態は、前後にバランスの取れた安定した状態であり、キャビネット収納椅子は、後方に転倒することなく、収納スペースから使用位置に引き出すことができる。収納時には、同じく蹴込み板を前方に押す操作を行うことにより、基部後端部が前方にスライドし、蹴込み板がキャビネットの蹴込み部と面一に配置され、背板もキャビネットの前板と面一に配置される。キャビネット収納椅子は、キャビネットの一部を形成する外観を呈し、統一感のある外観が形成される。
【００１０】
本願の第２の発明によれば、収納時における基部後端部の前方位置での保持および使用に際しての基部後端部の後方への押し出しが簡易に実現される。
【発明を実施するための最良の形態】
【００１１】
図１は、本願発明のキャビネット収納椅子の一実施形態を示した側面図である。図２は、図１に示したキャビネット収納椅子を備えた厨房装置の一例を示した斜視図である。
【００１２】
略矩形に枠組みされ、水平に配置される基部１の上の左右に、アルミニウムなどの軽量金属から略矩形形状に形成された側フレーム２が立設されている。基部１の背側にはアルミニウムなどの軽量金属から略矩形形状に形成された背フレーム３が立設されている。左右両側の側フレーム２の上部内側に人が座ることのできる座部４が配設され、座部４は、略垂直上方に突出した背もたれ５を有している。座部４の両側に略Ｌ字型形状の手摺６が設けられ、手摺６は、背フレーム３と側フレーム２の上部を連結している。座部４の下方には、線材から形成された網カゴ７が上下に２段配設されている。網カゴ７の前端縁および後端縁にはそれぞれフランジ状の係合レール８が形成されている。側フレーム２の縦桟２ａと背フレーム３には断面略コ字型形状の係合片９が対向して設けられ、係合レール８をガイドする。このため、網カゴ７は、キャビネット収納椅子の左右、すなわち、側部から引き出せるようになっている。各種の物品の収納と取り出しが自在となっている。
【００１３】
また、図１に示したキャビネット収納椅子では、背フレーム３に後方に突出する固定部１０が上下に取り付けられ、固定部１０に背板１１ａ、１１ｂが固定されている。各背板１１ａ、１１ｂの上端縁にはライン取っ手１２が取り付けられている。ライン取っ手１２は、図２に示したように、厨房装置に備えた引き出し１３の上端縁または下端縁に設けられるライン取っ手１２と同一のものであり、後方に突出しない横長の取っ手である。ライン取っ手１２は、斜め後方に開放する溝状の空洞部を有し、空洞部から手指を差し込むことによりライン取っ手１２を握ることができ、引き出し１３の開閉を操作することができる。
【００１４】
基部１の下端には、キャビネット収納椅子を移動自在とするキャスター１４ａ、１４ｂが設けられている。後側のキャスター１４ｂを備えた基部後端部１ａは、図１に示したように、基部本体１ｂに対して前後にスライド自在に配設されている。基部後端部１ａの後端に蹴込み板１５が取り付けられている。
【００１５】
以上のキャビネット収納椅子では、収納時には、基部後端部１ａが、図１図中に実線で示した前方位置に保持され、図２に示した厨房装置において、カウンター１６に取り付けられたカラン１７を有するシンク１８の下方に形成された収納スペース１９に収納される。シンク１８の下方に位置し、排水管などの配設により大きさに制約のある収納スペース１９にキャビネット収納椅子は収まる。そして、各背板１１ａ、１１ｂは、引き出し１３の前板２０を含む厨房装置の前板と面一に配置され、各背板１１ａ、１１ｂに取り付けられたライン取っ手１２は、隣接する引き出し１３の前板２０などに設けられた厨房装置のライン取っ手１２と同一直線状に配置される。蹴込み板１５は、厨房装置の蹴込み部２１と面一に配置される。したがって、キャビネット収納椅子は、キャビネットの一部を形成する外観を呈し、統一感のある外観が形成される。
【００１６】
使用時には、図１図中に鎖線で示したように、基部後端部１ａが後方にスライドし、後側のキャスター１４ｂが後方に突出して配置され、前後のキャスター１４ａ、１４ｂ間の間隔が拡大される。この前後のキャスター１４ａ、１４ｂ間の間隔の拡大により、キャビネット収納椅子は前後のバランスが取れ、安定した状態となる。背板１１ａの上方から力を加えても後方に転倒することはない。使用位置への引き出しが可能となる。
【００１７】
基部後端部１ａの前後のスライドは、蹴込み板１５を前方につま先などで押す操作により実現される。たとえば、図３に示したように、収納時に基部後端部１ａを前方位置で保持し、使用時に基部後端部１ａを後方に押し出す駆動機構２２を厨房装置に設けることができる。
【００１８】
図３に示した駆動機構２２は、厨房装置において図２に示した収納スペース１９に臨む面に水平に取り付けられる本体２２ａと、本体２２ａに対して前後にスライド自在に設けられた押し出し部材２３と、押し出し部材２３に対して前後にスライド自在に設けられたプッシュピン２４とを備えている。本体２２ａおよび押し出し部材２３は、それぞれ、バネなどの弾性体を内蔵し、また、本体２２ａは、押し出し部材２３の定位置に保持するロック機構を、押し出し部材２３は、プッシュピン２４を定位置に保持するロック機構を内蔵している。プッシュピン２４は、マグネットキャッチなどのように基部後端部１ａを吸引する機能を有している。
【００１９】
図３に示した状態は、キャビネット収納椅子の収納状態であり、押し出し部材２３およびプッシュピン２４は後方に押し込まれ、ロック機構により定位置にロックされている。本体２２ａおよび押し出し部材２３に内蔵された弾性体には復元力が蓄積されている。基部後端部１ａの前端はプッシュピン２４の先端に当接し、基部後端部１ａは、プッシュピン２４の吸引力により後方に引っ張られている。このため、基部後端部１ａは前方位置に保持され、図１および図２に示した背板１１ａ、１１ｂは厨房装置の前板と、蹴込み板１５は蹴込み部２１とそれぞれ面一に配置される。また、図１に示した背板１１ａの上端縁に取り付けられたライン取っ手１２を握って後方に引き出そうとしても、キャビネット収納椅子はロックされた状態にあり、動かない。
【００２０】
使用時には、蹴込み板１５をつま先などによって前方に押し込む。すると、本体２２ａおよび押し出し部材２３に内蔵されたロック機構が解除され、弾性体に蓄積されていた復元力が解放される。その結果、図４に示したように、押し出し部材２３、プッシュピン２４は後方に突出し、基部後端部１ａが後方に押し出される。この時の基部後端部１ａを後方に押し出す力は、プッシュピン２４の吸引力より十分大きく、基部後端部１ａは後方にスライドする。基部後端部１ａに備えた後側のキャスター１４ｂは後方に突出して配置される。キャビネット収納椅子は駆動機構２２からフリーな状態にあり、ライン取っ手１２を握って後方に引き出すことが可能であり、しかも、キャビネット収納椅子は前後のバランスが取れており、図１および図２に示した背板１１ａの上方から力を加えても後方に転倒することはない。使用位置へスムーズに引き出すことができる。
【００２１】
使用後は、図２に示した収納スペース１９にキャビネット収納椅子を収納する。背板１１ａ、１１ｂが厨房装置の前板と面一に配置される位置において、蹴込み板１５を前方に押す。基部後端部１ａは前方にスライドし、前端がプッシュピン２４の先端に接触し、プッシュピン２４により吸引される。一方、プッシュピン２４および押し出し部材２３は前方へ押し込まれ、ロック機構により定位置にロックされる。基部後端部１ａは前方位置に保持され、背板１１ａ、１１ｂは厨房装置の前板と、蹴込み板１５は蹴込み部２１とそれぞれ面一に配置される。
【００２２】
このように、駆動機構２２によって、収納時における基部後端部１ａの前方位置での保持および使用に際しての基部後端部１ａの後方への押し出しが簡易に実現される。
【００２３】
駆動機構２２には、図５および図６に示したものも採用することができる。図５および図６に示した駆動機構２２は、略くの字型の形状を有する上下対称に配置された一対の弾性片２５、２６と、弾性片２５、２６の間に水平に配置されたバネ２７とを備えたラッチ受けである。弾性片２５、２６は、先端に円筒状の接触子２８を有している。このようなラッチ受けが、厨房装置において図２に示したような収納スペース１９に臨む面に配設されている。一方、基部後端部１ａには、蹴込み板１５の裏面においてラッチ受けに対向する部位に、断面ひし形形状を有するラッチ２９が配設されている。
【００２４】
キャビネット収納椅子の収納時には、図５に示したように、蹴込み板１５の裏面に設けられた前方に突出するラッチ２９が接触子２８の間を分け入って弾性片２５、２６の間に嵌入する。このラッチ２９の嵌入によって弾性片２５、２６の間隔は押し広げられるため、弾性片２５、２６はラッチ２９を上下から挟持する。バネ２７はラッチ２９の先端によって押し縮められ、復元力が蓄積される。この状態では、キャビネット収納椅子は移動不能であり、基部後端部１ａは前方位置に保持され、図１および図２に示した背板１１ａ、１１ｂは厨房装置の前板と、蹴込み板１５は蹴込み部２１とそれぞれ面一に配置される。また、図１に示した背板１１ａの上端縁に取り付けられたライン取っ手１２を握って後方に引き出そうとしても、キャビネット収納椅子はロックされた状態にあり、動かない。
【００２５】
使用時には、蹴込み板１５をつま先などによって前方に押し込む。すると、弾性片２５が上に、弾性片２６が下に移動して間隔が開き、ラッチ２９の挟持が解除される。このため、バネ２７に蓄積されていた弾性力が解放され、ラッチ２９を後方に押し出す。その結果、図６に示したように、基部後端部１ａは後方にスライドする。基部後端部１ａに備えた後側のキャスター１４ｂは後方に突出して配置される。キャビネット収納椅子は駆動機構２２からフリーな状態にあり、ライン取っ手１２を握って後方に引き出すことが可能であり、しかも、キャビネット収納椅子は前後のバランスが取れており、図１および図２に示した背板１１ａの上方から力を加えても後方に転倒することはない。使用位置へスムーズに引き出すことができる。
【００２６】
使用後は、図２に示した収納スペース１９にキャビネット収納椅子を収納する。背板１１ａ、１１ｂが厨房装置の前板と面一に配置される位置において、蹴込み板１５を前方に押す。基部後端部１ａは前方にスライドし、蹴込み板１５の裏面に設けられたラッチ２９が、図５に示したように、初期状態に復帰しているラッチ受けに嵌り、基部後端部１ａは前方位置に保持される。背板１１ａ、１１ｂは厨房装置の前板と、蹴込み板１５は蹴込み部２１とそれぞれ面一に配置される。
【００２７】
このような駆動機構２２によっても、収納時における基部後端部１ａの前方位置での保持および使用に際しての基部後端部１ａの後方への押し出しが簡易に実現される。
【００２８】
なお、キャビネット収納椅子には、図１および図２に示したように、基部１の左右両側面に断面略コ字型の形状を有し、長尺のスライドレール３０を設けることができる。厨房装置には、収納スペース１９に臨む面にレール片３１を設けることができる。この場合、スライドレール３０がレール片３１にガイドされてキャビネット収納椅子は収納スペース１９に収納される。キャビネット収納椅子の収納をスムーズに行うことができる。
【００２９】
また、以上のキャビネット収納椅子は、厨房装置に備えられるものとして例示したが、キャビネットは厨房装置に限られず、洗面化粧台その他の諸作業を座位で行えるようにしたキャビネットに適用可能である。
【図面の簡単な説明】
【００３０】
【図１】本願発明のキャビネット収納椅子の一実施形態を示した側面図である。
【図２】図１に示したキャビネット収納椅子を備えた厨房装置の一例を示した斜視図である。
【図３】駆動機構の一形態とキャビネット収納椅子の収納時の状態を示した要部側面図である。
【図４】図３に示した駆動機構によるキャビネット収納椅子の使用時の状態を示した要部側面図である。
【図５】駆動機構の一形態とキャビネット収納椅子の収納時の状態を示した要部側面図である。
【図６】図５に示した駆動機構によるキャビネット収納椅子の使用時の状態を示した要部側面図である。
【符号の説明】
【００３１】
１    基部
１ａ    基部後端部
１ｂ    基部本体
２    側フレーム
２ａ    縦桟
３    背フレーム
４    座部
５    背もたれ
６    手摺
７    網カゴ
８    係合レール
９    係合片
１０    固定部
１１ａ、１１ｂ    背板
１２    ライン取っ手
１３    引き出し
１４ａ、１４ｂ    キャスター
１５    蹴込み板
１６    カウンター
１７    カラン
１８    シンク
１９    収納スペース
２０    前板
２１    蹴込み部
２２    駆動機構
２２ａ    本体
２３    押し出し部材
２４    プッシュピン
２５、２６    弾性片
２７    バネ
２８    接触子
２９    ラッチ
３０    スライドレール
３１    レール片
【図１】
2007190297.tif 000003
【図２】
2007190297.tif 000004
【図３】
2007190297.tif 000005
【図４】
2007190297.tif 000006
【図５】
2007190297.tif 000007
【図６】
2007190297.tif 000008